(57)【要約】      （修正有）【課題】特に細菌による炎症を防止する殺菌効果が得られる生理用品を提供する。【解決手段】表面シート１０と、吸収部材２０と、防水シート３０とを有し、該表面シートと防水シートとは周縁が密着され、該吸収部材は、該表面シートと防水シートとの間に位置し、２つの面を有する吸収体と、該吸収体における２つの面の何れかの一面に被着される少なくとも１つのプロポリス層とを備えるものである。【選択図】図１
0003164077.tif 000002
【実用新案登録請求の範囲】
【請求項１】
表面シートと、吸収部材と、防水シートとを有し、
該表面シートと防水シートとは周縁が密着され、
該吸収部材は、該表面シートと防水シートとの間に位置し、２つの面を有する吸収体と、該吸収体における２つの面の何れかの一面に被着される少なくとも１つのプロポリス層とを備えることを特徴とするプロポリスを含んだ生理用品。
【請求項２】
前記吸収部材は、２つのプロポリス層を有し、該２つのプロポリス層はそれぞれ、前記吸収体における表裏面にそれぞれ被着されることを特徴とする請求項１に記載のプロポリスを含んだ生理用品。
【請求項３】
ナプキンであることを特徴とする請求項１又は２に記載のプロポリスを含んだ生理用品。
【請求項４】
おりものシートであることを特徴とする請求項１又は２に記載のプロポリスを含んだ生理用品。
【考案の詳細な説明】
【技術分野】
【０００１】
本考案は、特に抗菌効果を有する、プロポリスを含んだ生理用品に関するものである。
【背景技術】
【０００２】
生理用品は通常、女性の月経やおりものなどによる下着の汚れを防止するために用いられ、即ち、経血を吸収する能力を備えるものであり、例えば、ナプキンやおりものシートなどがある。一般的な生理用品は、表面シートと、吸収体と、防水シートとを有し、該表面シートは、肌側接触面とし、吸収された経血が滲み出すことを防止するものであり、該吸収体は、経血やおりものを吸収するものであり、該防水シートは、非透湿性及び液不透過性を有すると共に、該防水シートの外面（肌側接触面と反対する面）に下着に固定するための粘着シートが設けられている。
【先行技術文献】
【特許文献】
【０００３】
【特許文献１】特開平７−２７６３７０号公報
【考案の概要】
【考案が解決しようとする課題】
【０００４】
しかしながら、ナプキンやおりものシートなどの生理用品は、長時間交換しないと、肌との接触面においてドライ感が乏しくじめじめして違和感が生じやすくなったり、手や他の不清潔なものが生理用品の表面シートと接触した場合には、肌側接触面に細菌が発生してかぶれなどの炎症を引き起こす恐れがあるので、女性の健康に悪影響を及ぼす虞があった。
【課題を解決するための手段】
【０００５】
本考案に係るプロポリスを含んだ生理用品は、表面シートと、吸収部材と、防水シートとを有し、該表面シートと防水シートとは周縁が密着され、該吸収部材は、該表面シートと防水シートとの間に介在配置されると共に、２つの面を有する吸収体と、該吸収体における２つの面の何れかの一面に被着されるプロポリス層とを備えるものである。
【０００６】
前記プロポリス層の数量は２つであり、該２つのプロポリス層はそれぞれ、前記吸収体における表裏面にそれぞれ被着される。
【０００７】
なお、本考案のプロポリスを含んだ生理用品は、ナプキンであってもよく、おりものシートであってもよい。
【考案の効果】
【０００８】
本考案に係るプロポリスを含んだ生理用品は上記の課題を解決するものであり、プロポリスを含んだシートを有するナプキンやおりものシートなどの生理用品を製造するので、プロポリスの殺菌効果が得られ、細菌による感染を防止することができる。
【図面の簡単な説明】
【０００９】
【図１】本考案に係るプロポリスを含んだ生理用品の第一実施例における部分断面図である。
【図２】本考案に係るプロポリスを含んだ生理用品の第一実施例における吸収部材の断面図である。
【図３】本考案に係るプロポリスを含んだ生理用品の第二実施例における部分断面図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１及び図２に示すように、本考案に係るプロポリスを含んだ生理用品１の第一実施例は、プロポリスを含んだシートを有するナプキンであり、不織布からなる表面シート１０と、吸収部材２０と、防水シート３０と、剥離紙４０とを有し、その内、該表面シート１０と防水シート３０とは周縁が密着される構造であり、該吸収部材２０は、該表面シート１０と防水シート３０との間に位置する。
【００１２】
前記吸収部材２０は、吸収体２１と、２つのプロポリス層２２とを備え、その内、該吸収体２１は、前記表面シート１０及び防水シート３０に隣接する２つの面を有し、該２つのプロポリス層２２はそれぞれ、該吸収体２１における表裏面にそれぞれ被着される。なお、前記プロポリス層２２の数量は１つでもよく、また、前記吸収体２１における何れか一面に付着されてもよく、前記表面シート１０の内面に付着されてもよい。
【００１３】
前記プロポリス層２２は、ミツバチが採取した植物の樹脂とミツバチの唾液に含まれる酵素などを練り合わせた物を含むものであり、殺菌効果を備えるものであり、前記防水シート３０は、防水性及び液不透過性を備える材質からなり、底面に粘着体が被着されるものである。また、前記剥離紙４０は、剥離可能に前記防水シート３０の粘着体に付着されている。
【００１４】
更に、本考案に係るプロポリスを含んだ生理用品における製造方法においては、前記吸収体２１がプロポリス溶液の中に浸漬され、そのプロポリスを含んだ吸収体２１にプロポリス層２２を被着させることによりプロポリスを含んだ吸収部材２０を構成する。或いは、前記吸収体２１の２つの面にそれぞれプロポリスを塗ってプロポリス層２２を形成してもよい。また、本考案によれば、前記プロポリス層２２を吸収体２１に被着させるだけでなく、プロポリスを表面シート１０に塗布しても構わなく、プロポリスを表面シート１０及び吸収部材２０の何れかに被着させても構わないので、製造プロセスの利便性を向上させることができる。
【００１５】
本考案に係るプロポリスを含んだ生理用品１を使用する時は、剥離紙４０を防水シート３０の底面から剥がし取り、底面にある粘着部の粘着性により下着に固定させて使用する。また、プロポリス層２２に含まれるプロポリスは、もともとミツバチが巣の内部を埋めて、巣の内部を無菌状態に維持するためのものであることから、殺菌効果が得られるので、細菌による感染症を防止することができる。
【００１６】
図３に示すように、本考案に係るプロポリスを含む生理用品１における第二実施例は、プロポリスからなるシートを含むおりものシートであり、その構成は、前記第一実施例と略同じである。尚、本実施例では、プロポリス層２２が吸収部材２０における２つの面の何れか一面に付着される共に、表面シート１０に隣接される。
【産業上の利用可能性】
【００１７】
本考案は上記の構成を有することから、プロポリスを含んだシートを有するナプキンやおりものシートなどの生理用品を得ることができるので、プロポリスの殺菌効果が得られ、細菌による感染を防止することができる。
【符号の説明】
【００１８】
１  プロポリスを含む生理用品
１０  表面シート
２０  吸収部材
２１  吸収体
２２  プロポリス層
３０  防水シート
４０  剥離紙
【図１】
0003164077.tif 000003
【図２】
0003164077.tif 000004
【図３】
0003164077.tif 000005